【事件の表示】
　特願２００３−２９７９３１「バッテリーを電源としたアーク溶接機」拒絶査定不服審判事件〔平成１７年　２月１０日出願公開、特開２００５−　３４９０３〕について、次のとおり審決する。
【結　論】
　本件審判の請求は、成り立たない。
【理　由】
１．手続の経緯
　本願は、平成１５年７月１８日の出願であって、その主な手続の経緯は、以下のとおりである。
　平成１８年　９月２６日　拒絶理由通知書発送
　平成１８年１１月　６日　面接
　平成１８年１１月２４日　意見書及び手続補正書提出
　平成１９年　３月２０日　拒絶理由通知書発送
　平成１９年　５月１４日　手続補正書提出
　平成１９年　７月３１日　拒絶理由通知書発送
　平成１９年　９月２７日　意見書提出
　平成１９年１１月２７日　拒絶理由通知書発送
　平成２０年　１月２５日　手続補正書提出
　平成２０年　８月　５日　拒絶査定書発送
　平成２０年　９月　３日　審判請求書提出
　平成２２年　４月　６日　拒絶理由通知書（平成２２年　３月２６日付け）発送
　平成２２年　６月　３日　意見書提出
２．本願発明
　本願請求項１に係る発明は、上記の平成２０年　１月２５日付けの手続補正書により補正された特許請求の範囲の請求項１に記載された以下のとおりであると認める。
「バツテリーを電源とした直流アーク溶接機のバツテリーの充電と溶接時にバツテリーを補助するために用いる直流電源を商用電源から変換するのに高周波の絶縁型断続制御回路を、定電圧，定電流特性を得るために、使用した直流アーク溶接機。」
３．引用例の記載事項及び引用発明
　当審で通知した平成２２年　３月２６日付け拒絶理由通知書で引用した、本願出願前に頒布された刊行物である特開平１０−２３５４７３号公報（以下、「引用例」という。）には、以下の技術的事項が記載されている。
（ア）　第３欄第３３〜３９行
「図１に本発明のアーク加工用電源装置の実施の形態を接続図にて示す。同図において、１は交流電源であり、例えば電灯線用ＡＣ１００Ｖ電源から供給される。２は第１の整流回路であり、３は第１の整流回路を数ＫHZないし数１０ＫHZの交流に変換するインバータ回路、４はインバータ回路３の出力をアーク加工に適した電圧に変換する変圧器である。」
（イ）　第３欄第３９行〜第４欄第１行
「５ａ，５ｂはサイリスタ、６ａ，６ｂはダイオードであり、サイリスタ５ａ，５ｂおよびダイオード６ａ，６ｂは混合ブリッジ式整流回路を構成するように接続されており、変圧器４の出力を両波整流して直流としてアーク加工負荷に供給する第２の整流回路を構成している。７ａ，７ｂはサイリスタであり、ダイオード６ａ，６ｂとともに別の混合ブリッジ式両波整流回路を構成するように接続されており、８は電気２重層コンデンサのような数１０Ｆないし１０００Ｆ程度の巨大容量のコンデンサまたは蓄電池などの電力蓄積器であり、サイリスタ７ａ，７ｂ、ダイオード６ａ，６ｂとともに変圧器４の出力を整流して蓄積する電力蓄積手段を構成している。」
（ウ）　第４欄第８〜１４行
「１０は出力平滑用直流リアクトル、１１はアーク溶接機、アーク切断機などのアーク加工負荷であり、例えば電極１１ａと被加工物１１ｂとを有する。１２は出力電流設定器、１３は電力蓄積器８への充電電流を設定する充電電流設定器、１４は入力電流制限値設定器、１５は出力電流検出器、１６は充電電流検出器、１７は入力電流検出器である。」
（エ）　第４欄第１５〜２７行
「１８は比較器であり出力電流設定器１２の設定値Ｉroと出力電流検出器１５の検出値Ｉfoとを入力とし、差信号ΔＩo ＝Ｉro−Ｉfoを出力する。１９は充電電流設定器１３の設定値Ｉrcと充電電流検出器１６の検出値Ｉfcとを入力とし差信号ΔＩc ＝Ｉrc−Ｉfcを出力する比較器である。・・・・・２２はインバータ回路３に駆動信号を供給するパルス幅制御回路であり、入力信号に対応した導通時間率のパルス信号を出力する。」
（オ）　第５欄第１〜２８行
「図１の装置において、開閉器Ｓが閉じられた後、起動指令スイッチ３３が閉路されるまでは、・・・・・アーク加工負荷１１には電力は供給されない。・・・・・一方、起動指令スイッチ３３の出力が直接供給されるアナログスイッチ２５は遮断状態にあり、・・・・・インバータ回路３が起動する。・・・・・インバータ回路３の出力は変圧器４にて適宜電圧が変換された後に導通しているサイリスタ７ａ，７ｂとダイオード６ａ，６ｂとからなる混合ブリッジ回路によって両波整流されて電力蓄積器８に蓄えられる。この電力蓄積器８に対する充電電流は充電電流検出器１６にて検出されて信号Ｉfcとなり、比較器１９にて充電電流設定器１３の設定値Ｉrcと比較されて差信号ΔＩc ＝Ｉrc−Ｉfcとなってパルス幅制御回路２２に供給される。この結果、充電電流は設定値Ｉrcに対応した値に保つように制御される。」
（カ）　第６欄第６〜２０行
「電力蓄積器８が充分に充電された後に、アーク加工の開始を指令するための起動指令スイッチ３３を閉路すると、・・・・・電力蓄積器８に対する電力の蓄積は中断される。またアナログスイッチ２５は導通し、・・・・・ＤＣ／ＤＣ変換回路９はこれによって電力蓄積器８に蓄えられた電力をアーク加工に適した電力に変換して直流リアクトル１０を通してアーク加工負荷１１に供給する。」
（キ）　第６欄第２１〜２５行
「アーク加工負荷１１にはまた、インバータ回路３の出力を変圧器４およびサイリスタ５ａ，５ｂ、ダイオード６ａ，６ｂからなる混合ブリッジ回路によって変換された電力が直流リアクトル１０を通して供給される。」
（ク）　第６欄第４１〜４４行
「図１において、増幅器３８，３９の増幅率を異なる値とすることによってアーク加工時の出力の負担割合を交流電源側と電力蓄積手段側とにおいて、異なる割合にすることができる。」
（ケ）　第８欄第２７〜３２行
「なお、図１および図３の実施例においては、電力蓄積手段４に対する充電電流を検出し、この充電電流を設定値に保つようにした定電流充電回路の例を示したが、充電電流検出器１６にかえて電力蓄積手段４の端子電圧を検出し、この端子電圧が設定値になるまで充電するようにした定電圧充電回路を用いてもよい。」
　なお、上記（ケ）には、「電力蓄積手段４」との記載があるが、上記（ケ）でいう「充電電流」とは、電力蓄積器８に対する充電電流であるから、「電力蓄積手段４」という記載は、「電力蓄積器８」の誤記と認める。
　上記（ウ）には「アーク溶接機１１」が「出力平滑用直流リアクトル１０」に接続されていることの開示があるから、当該「アーク溶接機１１」が直流の「アーク溶接機１１」であることは、明らかである。
　また、（カ）には、「電力蓄積器８」に蓄えられた電力が「直流リアクトル１０」を通して「アーク加工負荷１１」、すなわちに「アーク溶接機１１」に供給されることの開示があるから、当該「アーク溶接機１１」は、「電力蓄積器８」を電源としているといえるし、上記の（イ）には、「巨大容量のコンデンサまたは蓄電池などの電力蓄積器であり」と記載されているように、「電力蓄積器８」として、「蓄電池」が例示されている。
　また、上記（ア）には、「交流電源１」について、「電灯線用ＡＣ１００Ｖ電源」が示されており、さらに上記の（ア）には、「交流電源１」を「第１の整流回路２」で整流し、さらに「インバータ回路３」で「数ＫHZないし数１０ＫHZの交流に変換」した後に「変圧器４」で電圧を変換することの開示があり、上記の（イ）には、「変圧器４」の出力を「別の混合ブリッジ式両波整流回路７ａ，７ｂ，６ａ，６ｂ」で整流して「電力蓄積器８」に蓄積することの開示がある。
　また、上記（エ）〜（オ）には、「パルス幅制御回路２２」によりパルス信号を出力し、「インバータ回路３」への駆動信号とすることが示されている。
　また、上記の（イ）には、「変圧器４」の出力を「第２の整流回路５ａ，５ｂ，６ａ，６ｂ」で整流して「アーク加工負荷１１」、すなわち「アーク溶接機１１」に供給することの開示があり、（キ）〜（ク）を参照すると、その供給は、「アーク加工時」に「電力蓄積手段８」を補助していることにあたるといえる。
　そして、上記の（エ）〜（オ）には、「電力蓄積器８に対する充電電流」を「設定値Ｉrcに対応した値に保つ」「定電流充電回路」が示されており、また、上記の（ケ）には、そのような「定電流充電回路」に代えて、「電力蓄積器８」の端子電圧を端子電圧が設定値となるように「定電圧充電回路」を選択することが示されている。
　以上の開示や、図面の図示を考慮し、引用例には、以下の発明（以下、「引用発明」という。）が開示されていると認める。
　「蓄電池などの電力蓄積器８を電源とした直流アーク溶接機１１の電力蓄積器の充電とアーク加工時に電力蓄積器８を補助するために用いる直流電源を電灯線用ＡＣ１００Ｖ電源から変換するのに数ＫHZないし数１０ＫHZの周波数でインバータ回路３を駆動するパルス幅制御回路２２と変圧器４を電力蓄積器８の端子電圧が設定値になる特性、又は電力蓄積器に対する充電電流を設定値Ｉrcに対応した値に保つ特性のいずれか一方を得るために使用した直流アーク溶接機１１。」
４．対比
　本願請求項１に係る発明と、引用発明とを対比すると、引用発明の「蓄電池」などの「電力蓄積器」が本願請求項１に係る発明のバッテリーに相当することや、「電灯線用ＡＣ１００Ｖ電源」が商用電源に相当すること、「アーク加工時」が溶接時に相当することは明らかである。
　また、引用発明の「パルス幅制御回路２２」は、パルス信号、すなわち断続的な信号を出力して「インバータ回路３」を駆動させており、それにより、直流を「数ＫHZないし数１０ＫHZ」の周波数の交流に変換しているから、本願請求項１に係る発明の断続制御回路に相当するといえるし、「数ＫHZないし数１０ＫHZ」の周波数は、一般的に高周波に相当する。
　また、引用発明の「変圧器４」は、絶縁の機能を有しているといえることは明らかである。
　さらに、引用発明の「電力蓄積器８」の「端子電圧が設定値になる」特性は、定電圧の特性といえるし、引用発明の「電力蓄積器８」に対する「充電電流」を「設定値Ｉrcに対応した値に保つ」特性は、定電流の特性といえる。
　以上から、本願請求項１に係る発明と引用発明との一致点及び相違点は、以下のとおりである。
　一致点：バッテリーを電源とした直流アーク溶接機のバッテリーの充電と溶接時にバッテリーを補助するために用いる直流電源を商用電源から変換するのに高周波の絶縁型断続制御回路を使用した直流アーク溶接機。
　相違点：本願請求項１に係る発明の高周波の絶縁型断続制御回路は、「定電圧、定電流特性」を得るために使用しているところ、引用発明の「パルス幅制御回路」は、「電力蓄積器８」の「端子電圧が設定値になる」特性、又は「電力蓄積器」に対する「充電電流」を「設定値Ｉrcに対応した値に保つ」特性のいずれか一方を得るため、すなわち、定電圧又は定電流の特性のいずれか一方を得るために使用している点。
５．相違点についての検討及び判断
　バッテリーに充電を行うにあたり、充電の初期に定電流での充電を行い、所定の電圧まで充電された後に、定電圧での充電を行う特性、すなわち、「定電圧、定電流特性」は、例えば特開２０００−３４８７７８号公報の【００１８】段落や、実願平４−３５０７５号（実開平５−８４１８８号）のＣＤ−ＲＯＭの【００１０】段落、特開２００２−３５４７０８号公報の【０００８】−【０００９】段落に示すように、本願の出願前に周知の技術的事項であるから、引用発明の制御回路を、「定電圧、定電流特性」を得るために使用して制御することは、当業者にとって格別に困難な事項ではない。
　また、本願請求項１に係る発明を全体構成でみても、引用発明及び周知の技術的事項から予測できる作用効果以上の顕著な作用効果を奏するものではない。
６．意見書における請求人の主張の検討
　平成２２年６月３日付けの意見書において、本願請求項１に係る発明と引用発明との差異について、「請求項１は拒絶理由文献１（特開平１０−２３５４７３）
に本発明と同じような回路を使用しているため拒絶理由としているが多くの相違点があるし、図１　変圧器（４）の出力を整流と溶接する時と充電時の切り変え？にサイリスタ（５ａ，５ｂ，７ａ，７ｂ）を使用している、点弧回路の詳細な説明がない、Ｓ３により制御している５ａ，５ｂ、のサイリスターが同時ＯＮになり変圧器（４）の２次側は短絡して焼損するでしょう、本発明はフォワード方式のＤ．Ｃ／Ｄ．Ｃコンバータを使用して定電圧、定電流特性、をえている。」と主張しているが、いずれも請求項１で特定された具体的な記載に基づく主張とはいえないから、採用できない。
　また、請求人は、「本発明は蓄電池をフローティング方式で使用している」点での構成上の差異を主張しているところ、やはり請求項１には、「フローティング方式」についての特定がないから、当該主張も採用できない。
　なお付言すると、本願の図１を参照すると、「バッテリー」として示された図形が、フローティング方式のようにブロック図に図示されていると看取できるところ、仮に当該図１の図示を根拠として、請求項１を「フローティング方式」と限定して解釈したとしても、バッテリーをフローティング方式で設けることは、例えば特開２００２−６６７３７号公報の図１の「バッテリーユニットＵ3」に示すように周知の技術的事項にすぎない。したがって、仮に請求項１に「フローティング方式」と特定して、引用発明との構成上の差異を主張したとしても、バッテリーを「フローティング方式」で設けることは、当業者にとって格別に困難な事項ではないから、当該主張は採用できない。
７．むすび
　したがって、本願請求項１に係る発明は、上記引用発明、及び周知の技術的事項に基いて当業者が容易に発明をすることができたものであり、特許法第２９条第２項の規定により特許を受けることができないものであるから、本願は拒絶すべきものである。
　よって、結論のとおり審決する。